(57)【特許請求の範囲】
【請求項１】
電池室内に互いに逆向きに収容される少なくとも二つの電池に関して、
互いに隣接する電池の＋極及び−極にそれぞれ接触するように、電池室内に設けられた  ＋電極及び−電極とを含んでおり、上記＋電極が、電池の＋極に当接する部分を一端に  備えたワイヤから成り、上記−電極が、電池の−極に当接する外形がほぼ円錐状に形成  されたコイルバネを一端に備えたワイヤから成り、各ワイヤが、他端にて、配線基板に  接続されていて、各電極が、それぞれ電池室に設けられた電池の＋極または−極に対向  する側壁が切り欠かれた電極溝内に挿入されると共に、各電極のワイヤが、各電極溝に  連続し且つ互いに隣接した固定用溝内に挿入され、固定保持されている、リモコン装置  の電極構造において、上記固定用溝の互いに隣接する領域にて、一方の固定用溝が他方  の固定用溝に対して段差を備えるように、形成されていることを特徴とする、リモコン  装置の電極構造。
【発明の詳細な説明】
【０００１】
【発明の属する技術分野】
本発明は、リモコン装置の電源として使用される電池を収容  するための電池室に関し、特に電池室内に設けられた電池の電極に接触する電極構造に  関するものである。
【０００２】
【従来の技術】
従来、このような電池室は、例えば図５乃至図７に示すように、構成さ  れている。図５及び図６リモコン装置の電池室１であって、二本の電池２，３を互いに  逆向きに収容すると共に、これら電池２，３の＋極及び−極に接触すべき＋電極４及び  −電極５は、それぞれ電池室に設けられた電極溝６，７内に挿入されることにより、固  定保持される。この電極溝６，７は、リモコン装置の電池室１内に収容された電池２，  ３の＋極及び−極にそれぞれ対向するように、形成されている。
【０００３】
ここで、＋電極４は、ワイヤから構成されており、その一端が、電極溝６内に挿入された折曲げ部４ａとして形成されていると共に、他端４ｂが、電池室１に隣接して配設された配線基板８上に、ハンダ付け等により接続されている。
【０００４】
また、−電極５は、ワイヤから構成されており、その一端が、電池の−極に当接する外形がほぼ円錐状に形成されたコイルバネ５ａとして形成されているとともに、他端５ｂが、同様に配線基板８上に、ハンダ付け等により接続されている。
【０００５】
さらに、上記＋電極４及び−電極５を構成するワイヤは、電極溝６，７から配線基板８上に延びる部分が、電極溝６，７に隣接して設けられた固定用溝６ａ，７ａ内に挿入され、固定保持されている。
このとき、固定用溝６ａ，７ａは、図７に示すように、同じ高さを有しているので、各電極４，５を構成するワイヤは、固定用溝６ａ，７ａ内にて図６にて鎖線で示すように、同じ高さに保持されている。
【０００６】
このように構成された電池室１によれば、電池２，３は、電池室１内に収容されると共に、電池２の＋極及び電池３の−極に対して、電極溝６，７により固定保持された＋電極４の折曲げ部４ａ及び−電極５のコイルバネ５ａの先端が、その弾性に基づいて、当接することにより、電池２，３の＋極及び−極に対する電池室１の＋電極４及び−電極５が電気的に接続され得るようになっている。
【０００７】
【発明が解決しようとする課題】
しかしながら、このような電池室１においては、＋電極４のワイヤが、−電極５のための電極溝７の隣接部分を通って、配線基板８まで導かれることから、＋電極４のワイヤのための固定用溝６ａが比較的長くなってしまう。このため、組立の際に、＋電極４のワイヤの比較的長い部分を固定用溝６ａ内に挿入する必要があり、組立作業が複雑となり、場合によっては、ワイヤが完全に固定用溝６ａ内に収容され得ないことがあった。
【０００８】
この場合、固定用溝６ａは、その一部が、−電極５のための固定用溝７ａに隣接しており、しかも固定用溝６ａが固定用溝７ａと同じ高さであることから、＋電極４のワイヤの一部が、例えば図８に示すように、固定用溝６ａを越えて、隣接する固定用溝７ａ側に入り込んで、−電極５のワイヤに接触して、ショートが発生してしまうという問題があった。
【０００９】
これとは逆に、例えば図９に示すように、−電極５のワイヤがその固定用溝７ａ内に完全に収容されない場合には、そのワイヤの一部が、隣接する固定用溝６ａ内の＋電極４のワイヤと接触して、ショートが発生してしまうという問題があった。
【００１０】
本発明は、以上の点に鑑み、電極のワイヤが固定用溝内に容易に挿入され得ると共に  、ワイヤの相互の接触が確実に防止され得るようにした、リモコン装置の電  極構造を提供することを目的としている。
【００１１】
【課題を解決するための手段】
上記目的は、リモコン装置の電池室内に互いに逆向きに  収容される少なくとも二つの電池に関して、互いに隣接する電池の＋極及び−極にそれ  ぞれ接触するように、電池室内に設けられた＋電極及び−電極とを含んでおり、上記＋  電極が、電池の＋極に当接する部分を一端に備えたワイヤから成り、上記−電極が、電  池の−極に当接する外形がほぼ円錐状に形成されたコイルバネを一端に備えたワイヤか  ら成り、各ワイヤが、他端にて、配線基板に接続されていて、各電極が、それぞれ電池  室に設けられた電池の＋極または−極に対向する側壁が切り欠かれた電極溝内に挿入さ  れると共に、各電極のワイヤが、各電極溝に連続し且つ互いに隣接した固定用溝内に挿  入され、固定保持されている、リモコン装置の電極構造において、上記固定用溝の互い  に隣接する領域にて、一方の固定用溝が他方の固定用溝に対して段差を備えるように、
形成されていることを特徴とする、リモコン装置の電極構造により、達成される。
【００１２】
上記構成によれば、双方の電極を構成するワイヤが、それぞれ固定用溝に対して挿入されているので、組立の際に容易に且つ確実に挿入され得ることになる。  また、もう一方のワイヤが固定用溝に完全に挿入されなかったとしても、双方の固定用溝が段差を備えていることにより、他方のワイヤに接触して、ショートしてしまうことが防止され得ることになる。
【００１３】
【発明の実施の形態】
以下、図面に示した実施形態に基づいて、本発明を詳細に説明す  る。図１乃至図３は、本発明による電池室の電極構造を備えたリモコン装置の一実施形  態の要部を示している。先づ、図１及び図２において、リモコン装置１０は、電池室１  １を有するように、金型による樹脂成形によって形成されたケース１２を含んでいる。
このケース１２は、上方が開放しており、図示しないカバーによって閉鎖され得るよう  に構成されている。
【００１４】
上記電池室１１は、図１に示すように、例えば単三乾電池等の円筒状の二本の電池１３，１４が、それぞれ＋極及び−極が互い違いになるように、即ち図１にて右側の電池１３が下方に＋極，左側の電池１４が下方に−極が位置するように、収容される。
【００１５】
さらに、上記電池室１１は、収容した電池１３，１４の＋極及び−極に対向するように、それぞれ電極部１５，１６を有している。電極部１５には、＋電極１７が備えられ、また電極部１６には、−電極１８が備えられる。
【００１６】
上記＋電極１７は、ワイヤから構成されており、その一端が、右側の電池１３の＋極に当接する折曲げ部１７ａとして形成されており、この折曲げ部１７ａが電極部１５の電極溝１５ａ内に受容され得ると共に、その他端１７ｂが、電池室１１に隣接して配設された配線基板１９上に、ハンダ付け等により接続されている。
【００１７】
また、上記−電極１８は、ワイヤから構成されており、その一端が、左側の電池１４の−極に当接する外形がほぼ円錐状に形成されたコイルバネ１８ａとして形成されており、コイルバネ１８ａが電極部１６の電極溝１６ａ内に受容され得ると共に、その他端１８ａが、同様に配線基板１９上に、ハンダ付け等により接続されている。
【００１８】
ここで、各電極溝１５ａ，１６ａは、それぞれ電池側の側壁が上下方向に貫通する切欠によって、部分的に開放されており、これにより各電極１７，１８の折曲げ部１７ａ，コイルバネ部１８ａが、それぞれ電池１３，１４の＋極及び−極に当接し得るようになっている。
【００１９】
さらに、上記＋電極１７及び−電極１８を構成するワイヤは、電極溝１５ａ，１６ａから配線基板１９上に延びる部分１７ｃ，１８ｃが、電極溝１５ａ，１６ａに隣接して設けられた固定用溝２０，２１内に挿入され、固定保持されている。
【００２０】
以上の構成は、図５乃至図７に示した従来のリモコン装置の電極構造と同様の構成で  あるが、本発明実施形態によるリモコン装置の電極構造においては、上記固定用溝２０  ，２１が、図３に示すように、形成されている。即ち、図３において、固定用溝２０を  画成する外側の側壁２０ａが、切欠部２０ｂを有することにより、固定用溝２１に対し  て、段差を有するように、形成されている。
【００２１】
本発明実施形態によるリモコン装置１０は、以上のように構成されており、電池１３，１４が、電池室１１内に収容されると、電池１３の＋極が、電池室１１に隣接して電極溝１５ａにより固定保持された＋電極１７の折曲げ部１７ａに当接し、また電池１４の−極が、電池室１１に隣接して電極溝１６ａにより固定保持された−電極１８のコイルバネ１８ａの先端が、その弾性に基づいて、押圧されることにより、−電極１８が、電池１４の−極に圧接され、且つ電池１３の＋極が＋電極１７の折曲げ部１７ａに対して圧接され、かくして、電池１３の＋極及び電池１４の−極に、電池室１１に隣接した＋電極１７及び−電極１８が、それぞれ接続され得るようになっている。
【００２２】
ここで、組立の際、図４に示すように、−電極１８は、従来と同様にして、その一端のコイルバネ１８ａが、電極部１６の電極溝１６ａ内に挿入されると共に、ワイヤ部分１８ｃが、固定用溝２１内に挿入される。この場合、固定用溝２１内に収容されるワイヤは、その長さが比較的短いので、容易に挿入され得る。
【００２３】
これに対して、＋電極１７は、その一端の折曲げ部１７ａが、電極部１５の電極溝１５ａ内に挿入されると共に、ワイヤ部分１７ｃが、固定用溝２０内に挿入される。このとき、固定用溝２０が段差を構成する切欠部２０ｂを備えていることから、ワイヤ部分１７ｃは、切欠部２０ｂの領域では、図４に示すように、切欠部２０ｂを画成する側縁に沿って案内されながら、固定用溝２０内に挿入され、固定保持されることになる。
従って、ワイヤ部分１７ｃは、固定用溝２０の切欠部２０ｂを除く領域では、従来と同様に、また−電極１８のワイヤと同様に、固定用溝２０内の上縁付近に収容されると共に、切欠部２０ｂの領域では、切欠部２０ｂを画成する側壁の上縁付近にて固定保持されることになる。
さらに、この切欠部２０ｂの領域では、固定用溝２０内への挿入の際に、ワイヤ部分１７ｃは、固定溝２０の切欠部２０ｂとは反対側の側壁によって案内されることになるので、固定用溝２０内に円滑に挿入され得る。これにより、＋電極１７を構成するワイヤは、容易に且つ確実に固定用溝２０内に挿入され得ることになる。
【００２４】
また、固定用溝２０に切欠部２０ｂが設けられていることにより、＋電極１７を構成するワイヤ部分１７ｃは、固定用溝２０の切欠部２０ｂに対応する領域が、固定用溝２０の上縁付近に沿って延びず、切欠部２０ｂの上縁付近に沿って延びることになり、−電極１８を構成するワイヤ部分１８ｃとは異なる高さに固定保持されることになる。
従って、何れか一方のワイヤ部分１７ｃ，１８ｃが、固定用溝２０または２１内に完全に挿入されずに、外側にはみだしていたとしても、他方の固定用溝２１または２０内のワイヤ１８ｃ，１７ｃに対して接触し、ショートしてしまうことが確実に防止され得ることになる。
【００２５】
上述した実施形態においては、電池室内に二本の電池を収容する場合について説明したが、これに限らず、複数本の電池を収容する電池室に関して、本発明を適用し得ることは明らかである。
【００２６】
また、上述した実施形態においては、リモコン装置の電極構造に適用した場合につい  て説明したが、これに限らず、他の各種機器における電池室に関して、本発明を適用し  得ることは明らかである。
【００２７】
【発明の効果】
以上述べたように、本発明によれば、双方の電極を構成するワイヤが、それぞれ固定用溝に対して挿入されているので、組立の際に容易に且つ確実に挿入され得ることになる。
また、もう一方のワイヤが固定用溝に完全に挿入されなかったとしても、双方の固定用溝が段差を備えていることにより、他方のワイヤに接触して、ショートしてしまうことが防止され得ることになる。
【００２８】
かくして、本発明によれば、電極のワイヤが固定用溝内に容易に挿入され得ると共に  、ワイヤの相互の接触が確実に防止され得るようにした、極めて優れたリモコン装置の  電極構造が提供され得ることになる。
【図面の簡単な説明】
【図１】本発明による電池室の電極取付構造を備えたリモコン装置の一実施形態の要部を示す概略平面図である。
【図２】図１のリモコン装置のＡ−Ａ線断面図である。
【図３】図１のリモコン装置の電池室付近の概略正面図である。
【図４】図３の電池室に対して電極を装着する途中の状態を示す概略正面図である。
【図５】従来の電池室の電極取付構造を備えたリモコン装置の一例の要部を示す概略平面図である。
【図６】図５のリモコン装置のＢ−Ｂ線断面図である。
【図７】図５のリモコン装置の電池室付近の概略正面図である。
【図８】図５のリモコン装置における電極のショート状態の一例を示す部分平面図である。
【図９】図５のリモコン装置における電極のショート状態の他の例を示す部分平面図である。
【符号の説明】
１０      リモコン装置
１１      電池室
１２      ケース
１３，１４      電池
１５，１６      電極部
１５ａ，１６ａ      電極溝
１７      ＋電極
１８      −電極
１９      配線基板
２０，２１      固定用溝
２０ａ    側壁
２０ｂ    切欠部
【図１】
0003752768.tif 000002
【図２】
0003752768.tif 000003
【図３】
0003752768.tif 000004
【図４】
0003752768.tif 000005
【図５】
0003752768.tif 000006
【図６】
0003752768.tif 000007
【図７】
0003752768.tif 000008
【図８】
0003752768.tif 000009
【図９】
0003752768.tif 000010